(57)【要約】【課題】通信通話の内容が盗聴される可能性を大幅に低減することができる周波数ホッピング無線通信装置を提供することを目的とする。【解決手段】所定のホッピングパターンに従って搬送波周波数を変更しながら時分割多重通信を行う周波数ホッピング無線通信装置であって、無線周波数の制御や無線タイミングの制御を行う無線制御部４と、ホッピング周波数の選択を行う周波数管理部２と、送信するデータフレームの成形や受信したフレームデータの抽出を行うフレーミング部３と、全体を制御する主制御部１とを有し、主制御部１は、周波数管理部２に対して、内部イベントの発生時または外部イベントの発生時に搬送波周波数の置換を要求する。【選択図】図１
2005318232.tif 000002
【特許請求の範囲】
【請求項１】
所定のホッピングパターンに従って搬送波周波数を変更しながら時分割多重通信を行う周波数ホッピング無線通信装置であって、
無線周波数の制御や無線タイミングの制御を行う無線制御部と、ホッピング周波数の選択を行う周波数管理部と、送信するデータフレームの成形や受信したフレームデータの抽出を行うフレーミング部と、全体を制御する主制御部とを有し、
前記主制御部は、前記周波数管理部に対して、内部イベントの発生時または外部イベントの発生時に搬送波周波数の置換を要求することを特徴とする周波数ホッピング無線通信装置。
【請求項２】
前記主制御部は、ホッピングパターンに含まれる搬送波周波数の一部の置換を要求することを特徴とする請求項１に記載の周波数ホッピング無線通信装置。
【請求項３】
前記主制御部は、ホッピングパターン自体の変更を要求することを特徴とする請求項１に記載の周波数ホッピング無線通信装置。
【請求項４】
前記フレーミング部は、前記搬送波周波数の置換を行うスロットとは別のスロットを使用して対向装置への周波数置換通知を行うことを特徴とする請求項１乃至３のいずれか１に記載の周波数ホッピング無線通信装置。
【請求項５】
前記フレーミング部は、前記対向装置への周波数置換通知を複数回にわたって行うことを特徴とする請求項４に記載の周波数ホッピング無線通信装置。
【請求項６】
前記フレーミング部は、前記対向装置への周波数置換通知に対する対向装置からの確認応答を検出することを特徴とする請求項４または５に記載の周波数ホッピング無線通信装置。
【請求項７】
請求項１乃至６のいずれか１に記載の周波数ホッピング無線通信装置を用いたことを特徴とするコードレス電話装置。
【請求項８】
請求項１乃至６のいずれか１に記載の周波数ホッピング無線通信装置を用いたことを特徴とするコードレス電話付きファクシミリ装置。
【請求項９】
請求項１乃至６のいずれか１に記載の周波数ホッピング無線通信装置を用いたことを特徴とするデータ通信装置。
【発明の詳細な説明】
【技術分野】
【０００１】
本発明は、所定のホッピングパターンに従って搬送波周波数を変更しながら時分割多重通信を行う周波数ホッピング無線通信装置、および、それを用いたコードレス電話装置、コードレス電話付きファクシミリ装置、データ通信装置に関するものである。
【背景技術】
【０００２】
所定のホッピングパターンに従って搬送波周波数を変更しながら通信する周波数ホッピング無線通信装置としては、例えば特許文献１に記載されているものがある。周波数ホッピングを行う無線通信装置は、逐次的に搬送波周波数を変更しながら通信を行うため、固定周波数で通信を行う無線通信装置に比べて盗聴されにくいという利点がある。
【０００３】
従来の周波数ホッピング無線通信装置においては、周波数の変移規則であるホッピングパターンは通信を行う双方の装置間で一致している必要があるため、ある種の計算式または規定のテーブルを元に決定され、一定の規則性を有している。
【特許文献１】特開平１０−１９０５２９号公報
【発明の開示】
【発明が解決しようとする課題】
【０００４】
このように、従来の周波数ホッピング無線通信装置では、ホッピングパターンは一定の規則性を有しており、規則性を有している限り、長時間のモニタリングによりホッピングパターンの規則性が判明し、通信内容や通話内容が盗聴される可能性があるという問題点を有していた。
【０００５】
この周波数ホッピング無線通信装置、コードレス電話装置、コードレス電話付きファクシミリ装置およびデータ通信装置では、通信通話の内容が盗聴される可能性を大幅に低減することが要求されている。
【０００６】
本発明は、この要求を満たすため、通信通話の内容が盗聴される可能性を大幅に低減することができる周波数ホッピング無線通信装置、および、それを用いたコードレス電話装置、コードレス電話付きファクシミリ装置、データ通信装置を提供することを目的とする。
【課題を解決するための手段】
【０００７】
本発明の周波数ホッピング無線通信装置は、所定のホッピングパターンに従って搬送波周波数を変更しながら時分割多重通信を行う周波数ホッピング無線通信装置であって、無線周波数の制御や無線タイミングの制御を行う無線制御部と、ホッピング周波数の選択を行う周波数管理部と、送信するデータフレームの成形や受信したフレームデータの抽出を行うフレーミング部と、全体を制御する主制御部とを有し、主制御部は、周波数管理部に対して、内部イベントの発生時または外部イベントの発生時に搬送波周波数の置換を要求する構成を備えている。
【０００８】
これにより、通信通話の内容が盗聴される可能性を大幅に低減することができる周波数ホッピング無線通信装置が得られる。
【０００９】
本発明のコードレス電話装置は、上記周波数ホッピング無線通信装置を用いた構成を備えている。
【００１０】
これにより、通信通話の内容が盗聴される可能性を大幅に低減することができるコードレス電話装置が得られる。
【００１１】
本発明のコードレス電話付きファクシミリ装置は、上記周波数ホッピング無線通信装置を用いた構成を備えている。
【００１２】
これにより、通信通話の内容が盗聴される可能性を大幅に低減することができるコードレス電話付きファクシミリ装置が得られる。
【００１３】
本発明のデータ通信装置は、上記周波数ホッピング無線通信装置を用いた構成を備えている。
【００１４】
これにより、通信の内容が盗聴される可能性を大幅に低減することができるデータ通信装置が得られる。
【発明の効果】
【００１５】
本発明の周波数ホッピング無線通信装置は、所定のホッピングパターンに従って搬送波周波数を変更しながら時分割多重通信を行う周波数ホッピング無線通信装置であって、ホッピング周波数の選択を行う周波数管理部と、全体を制御する主制御部とを有し、主制御部は、周波数管理部に対して、内部イベントの発生時または外部イベントの発生時に搬送波周波数の置換を要求することにより、内部イベントの発生時（たとえば一定周期毎に）または外部イベントの発生時（たとえば無線通信装置に備えた押しボタンの押下による指令時）に周波数管理部に搬送波周波数の置換（たとえば通信通話のための搬送波周波数が５つの周波数から成る場合に、そのうちの２つを別の周波数に置換すること）を要求することができるので、他者（盗聴者）がホッピングパターンの規則性を認識することが極めて困難となり、通信通話の内容が盗聴される可能性を大幅に低減することができるという有利な効果が得られる。
【００１６】
さらに、無線周波数の制御や無線タイミングの制御を行う無線制御部と、送信するデータフレームの成形や受信したフレームデータの抽出を行うフレーミング部とを備えたことにより、周波数ホッピングを確実に行うことができると共に、無線による通信や通話を正常に行うことができるという有利な効果が得られる。
【００１７】
さらに、主制御部は、ホッピングパターンに含まれる搬送波周波数の一部の置換を要求することにより、内部イベントの発生時または外部イベントの発生時に周波数管理部に搬送波周波数の置換（たとえば通信通話のための搬送波周波数が５つの周波数から成る場合に、そのうちの２つ、３つまたは４つを別の周波数に置換すること）を要求することができるので、盗聴者がホッピングパターンの規則性を認識することが極めて困難となり、通信通話の内容が盗聴される可能性を大幅に低減することができるという有利な効果が得られる。
【００１８】
さらに、主制御部は、ホッピングパターン自体の変更を要求することにより、内部イベントの発生時または外部イベントの発生時に周波数管理部にホッピングパターン自体の変更を要求して搬送波周波数の一部または全てを容易に置換することができるという有利な効果が得られる。
【００１９】
さらに、フレーミング部は、搬送波周波数の置換を行うスロットとは別のスロットを使用して対向装置への周波数置換通知を行うことにより、対向装置は自装置（対向装置の対向装置）の搬送波周波数の変更に容易に追随することができるという有利な効果が得られる。
【００２０】
さらに、フレーミング部は、対向装置への周波数置換通知を複数回にわたって行うことにより、対向装置は自装置の搬送波周波数の変更に容易かつ確実に追随することができるという有利な効果が得られる。
【００２１】
さらに、フレーミング部は、対向装置への周波数置換通知に対する対向装置からの確認応答を検出することにより、対向装置への周波数置換通知の是非を知ることができると共に、対向装置からの確認応答がない場合には再度対向装置への周波数置換通知を行ったり、自装置の搬送波周波数の変更を中止したりすることができるという有利な効果が得られる。
【００２２】
本発明のコードレス電話装置は、上記いずれかの周波数ホッピング無線通信装置を用いたことにより、通信通話の内容が盗聴される可能性を大幅に低減することができるという有利な効果が得られる。
【００２３】
本発明のコードレス電話付きファクシミリ装置は、上記いずれかの周波数ホッピング無線通信装置を用いたことにより、通信通話の内容が盗聴される可能性を大幅に低減することができるという有利な効果が得られる。
【００２４】
本発明のデータ通信装置は、上記いずれかの周波数ホッピング無線通信装置を用いたことにより、通信の内容が盗聴される可能性を大幅に低減することができるという有利な効果が得られる。
【発明を実施するための最良の形態】
【００２５】
本発明は、通信通話の内容が盗聴される可能性を大幅に低減するという目的を、内部イベントの発生または外部イベントの発生により搬送波周波数を置換する（ホッピングパターンの搬送波周波数の一部またはホッピングパターン自体を置換する）ことにより実現した。
【００２６】
上記課題を解決するためになされた第１の発明は、所定のホッピングパターンに従って搬送波周波数を変更しながら時分割多重通信を行う周波数ホッピング無線通信装置であって、無線周波数の制御や無線タイミングの制御を行う無線制御部と、ホッピング周波数の選択を行う周波数管理部と、送信するデータフレームの成形や受信したフレームデータの抽出を行うフレーミング部と、全体を制御する主制御部とを有し、主制御部は、周波数管理部に対して、内部イベントの発生時または外部イベントの発生時に搬送波周波数の置換を要求することとしたものであり、内部イベントの発生時（たとえば一定周期毎に）または外部イベントの発生時（たとえば無線通信装置に備えた押しボタンの押下による指令時）に周波数管理部に搬送波周波数の置換（たとえば通信通話のための搬送波周波数が５つの周波数から成る場合に、そのうちの２つを別の周波数に置換すること）を要求することができるので、他者（盗聴者）がホッピングパターンの規則性を認識することが極めて困難となり、通信通話の内容が盗聴される可能性を大幅に低減することができるという作用・効果を有する。
【００２７】
上記課題を解決するためになされた第２の発明は、主制御部は、ホッピングパターンに含まれる搬送波周波数の一部の置換を要求することとしたものであり、内部イベントの発生時または外部イベントの発生時に周波数管理部に搬送波周波数の置換（たとえば通信通話のための搬送波周波数が５つの周波数から成る場合に、そのうちの２つ、３つまたは４つを別の周波数に置換すること）を要求することができるので、盗聴者がホッピングパターンの規則性を認識することが極めて困難となり、通信通話の内容が盗聴される可能性を大幅に低減することができるという作用・効果を有する。
【００２８】
上記課題を解決するためになされた第３の発明は、主制御部は、ホッピングパターン自体の変更を要求することとしたものであり、内部イベントの発生時または外部イベントの発生時に周波数管理部にホッピングパターン自体の変更を要求して搬送波周波数の一部または全てを容易に置換することができるという作用・効果を有する。
【００２９】
上記課題を解決するためになされた第４の発明は、フレーミング部は、搬送波周波数の置換を行うスロットとは別のスロットを使用して対向装置への周波数置換通知を行うこととしたものであり、対向装置は自装置（対向装置の対向装置）の搬送波周波数の変更に容易に追随することができるという作用・効果を有する。
【００３０】
上記課題を解決するためになされた第５の発明は、フレーミング部は、対向装置への周波数置換通知を複数回にわたって行うこととしたものであり、対向装置は自装置の搬送波周波数の変更に容易かつ確実に追随することができるという作用・効果を有する。
【００３１】
上記課題を解決するためになされた第６の発明は、フレーミング部は、対向装置への周波数置換通知に対する対向装置からの確認応答を検出することとしたものであり、対向装置への周波数置換通知の是非を知ることができると共に、対向装置からの確認応答がない場合には再度対向装置への周波数置換通知を行ったり、自装置の搬送波周波数の変更を中止したりすることができるという作用・効果を有する。
【００３２】
上記課題を解決するためになされた第７の発明は、第１の発明乃至第６の発明のいずれかの発明の周波数ホッピング無線通信装置を用いることとしたものであり、コードレス電話装置において、通信通話の内容が盗聴される可能性を大幅に低減することができるという作用・効果を有する。
【００３３】
上記課題を解決するためになされた第８の発明は、第１の発明乃至第６の発明のいずれかの発明の周波数ホッピング無線通信装置を用いることとしたものであり、コードレス電話付きファクシミリ装置において、通信通話の内容が盗聴される可能性を大幅に低減することができるという作用・効果を有する。
【００３４】
上記課題を解決するためになされた第９の発明は、第１の発明乃至第６の発明のいずれかの発明の周波数ホッピング無線通信装置を用いることとしたものであり、データ通信装置において、通信の内容が盗聴される可能性を大幅に低減することができるという作用・効果を有する。
【００３５】
（実施の形態１）
図１は、本発明の実施の形態１による無線通信装置を示すブロック図である。
【００３６】
図１において、Ａは自装置としての無線通信装置、Ｂは無線通信装置Ａと同様な構成の対向装置である。無線通信装置Ａは、装置全般の制御を行う主制御部１と、ホッピング周波数の管理を行う周波数管理部２と、送信するデータフレームの成形や受信したフレームデータの抽出を行うフレーミング部３と、無線周波数制御・無線タイミング制御等を行う無線制御部４と、無線信号の送受信を行うアンテナ５と、表示装置等のインタフェース部（ＩＦ部）６とを有する。対向装置Ｂは、各部１〜４、６から成る対向部７と、無線信号の送受信を行うアンテナ８とを有する。
【００３７】
このように構成された無線通信装置について、その動作を説明する。
【００３８】
（表１）は周波数ホッピングにおける周波数変移を示す表であり、周波数管理部２がホ
ッピングパターン１を選択した場合、搬送波周波数はｆ１、ｆ３、ｆ５、ｆ７、ｆ９、ｆ１、ｆ３・・・と周回的に変移していく。この時、全使用可能周波数ｆ１〜ｆ９のうちｆ２、ｆ４、ｆ６、ｆ８は未使用周波数である。
【００３９】
【表１】
2005318232.tif 000003
【００４０】
装置間の通信は、データを一定単位に区切ったフレームおよびフレームを一定数に分割したスロットを元に行われる。ホッピングパターン１に従って通信中の場合、ある時点のフレーム内のスロットが送信周波数としてｆ１を使用した時、次フレームの同スロットにおいては周波数管理部２は無線制御部４に対してｆ３を使用するように指示する。対向装置Ｂ側においても同様に受信周波数を制御する。このようにして周波数ホッピングを繰り返しながら装置Ａ、Ｂ間で通信が行われる。この時、規定のホッピングパターン１に従ったホッピングを繰り返していると、外部からのモニタリングにより周波数変移の規則性が判明し、周波数レベルでのデータ盗聴が可能となる。これを防ぐため、主制御部１は、一定時間の経過あるいは他の内部イベント発生あるいはボタン押下等の外部イベント発生により、規定のホッピングパターンに含まれる特定周波数の入れ替え（置換）を周波数管理部２に対して指示（要求）する。例えばｆ１を未使用周波数ｆ２に、ｆ３を未使用周波数ｆ４に置換する。また、該内容の周波数置換情報をフレーミング部３を通じて周波数置換要求として対向装置Ｂへ伝送する。周波数置換要求を検出した対向装置Ｂのフレーミング部３は、周波数管理部２に対して周波数置換情報に従ったホッピングパターン内周波数置換を指示する。ホッピングパターン内周波数入れ替えを指示された起動側無線通信装置（自装置）Ａおよび対向装置Ｂ側周波数管理部２は任意のタイミング、例えば次にパターンインデックスがゼロに戻るタイミング以降は使用周波数をｆ１からｆ２へ、ｆ３からｆ４へ入れ替える。以後周回的にｆ２、ｆ４、ｆ５、ｆ７、ｆ９、ｆ２、ｆ４・・・と周波数変移する。このようにして長時間のホッピングパターンの規則性を減ずることが可能となる。
【００４１】
ここで、主制御部１は、周波数管理部２に対して、ホッピングパターンに含まれる特定周波数の置換ではなく、ホッピングパターンそのものの変更を指示することもできる。例えば複数用意されたホッピングパターンのうち、（表１）のパターン１からパターン２へ変更する場合、周波数管理部２は、任意のタイミング以降、ホッピングパターン２に従って周波数変移を行う。この場合、上記と同様に対向装置Ｂへの変更要求も行う。このようにして、より大きく周波数変移の規則性を減ずることが可能となる。
【００４２】
さらに、フレーミング部３は、対向装置Ｂに対する周波数置換要求の伝送を、実際に周波数入れ替えの対象となるスロットとは別スロットを通じて行うこともできる。例えば音声データをフレーム内の第１スロットで伝送しており、制御データを第２スロットで伝送している場合に、第１スロットの周波数置換を行うことを第２スロットを使用して対向装
置Ｂへ通知、要求する。
【００４３】
さらに、フレーミング部３は、対向装置Ｂへの周波数置換要求伝送を複数回行うこともできる。１回のみの伝送では伝送路上の誤りにより対向装置Ｂへの通知が正常に行われない可能性があり周波数置換が一方的なものとなってしまうことがあるが、複数回伝送することによりその可能性を減ずることが可能となる。
【００４４】
さらにフレーミング部３は、対向装置Ｂへ周波数置換要求伝送を行った後、対向装置Ｂからの確認応答を検出するように動作することもできる。この場合、対向装置Ｂにおいては、周波数置換要求を受信した場合は確認応答を返送する。確認応答を検出したフレーミング部３は、周波数管理部２に対し、実際に周波数入れ替えを許可する。確認応答が検出できない場合は検出できるまで周波数置換要求を再送する。このようにして、起動側無線通信装置Ａのみで周波数置換が行われてしまうことを防ぐことが可能となる。
【００４５】
図１の構成をコードレス電話装置、コードレス電話付きファクシミリ装置またはデータ通信装置等の周波数ホッピング無線通信装置に組み込むことにより、前記装置間の通信中において搬送波周波数を置換させることが可能となる。
【産業上の利用可能性】
【００４６】
本発明は、所定のホッピングパターンに従って搬送波周波数を変更しながら時分割多重通信を行う周波数ホッピング無線通信装置に関し、通信通話の内容が盗聴される可能性を大幅に低減することができる。本発明をコードレス電話装置に組み込むことにより、通話中に他者により盗聴される可能性を低減することが可能となる。本発明をコードレス電話付きファクシミリ装置に組み込むことにより、コードレス子機を使用した通話中に他者により盗聴される可能性を低減することが可能となる。本発明をデータ通信装置に組み込むことにより、通信中に他者によりデータモニタリングによる盗聴を行われる可能性を低減することが可能となる。
【図面の簡単な説明】
【００４７】
【図１】本発明の実施の形態１による無線通信装置を示すブロック図
【符号の説明】
【００４８】
１    主制御部
２    周波数管理部
３    フレーミング部
４    無線制御部
５、８    アンテナ
６    インタフェース部（ＩＦ部）
７    対向部
Ａ    無線通信装置
Ｂ    対向装置
【図１】
2005318232.tif 000004